(57)【要約】  一定の頂角を有する変形円錐状に正確かつ容易に形成できる飯包装材を提供することを課題とする。  解決手段として、長方形状をなし、一方の短辺（１０ａ）と一方の長辺（１０ｄ）で挟まれる一方のコーナー部（Ａ）が対向する他方の長辺（１０ｃ）の中途部にくるようにして、一方のコーナー部（Ａ）側となる部位が内側巻き込み部（２２）として巻き込まれ、他方の短辺（１０ｂ）側の部位が、内側巻き込み部（２２）上に外側巻き付け部（２４）として巻き付けられると共に内側巻き込み部（２２）上に固定されることによって、一方の長辺（１０ｄ）の中途部が頂部となる変形円錐状に形成して用いられる飯包装材（１０）において、変形円錐状に形成される際、外側巻き付け部（２４）として巻き付けられる他方の短辺（１０ｂ）側の部位を位置決めする第１の目印（３２ａ）が外フィルム（１４）に設けられていることを特徴とする。
2018037649.tif 000002
【特許請求の範囲】
【請求項１】
長方形状をなし、幅方向に２分割可能なように長手方向全長に亙って帯状の分離部が設けられた外フィルムと、２枚のフィルムが端縁部が重なるようにずらした状態で前記外フィルムに重ね合わされ、周縁部の適所で前記外フィルムに固定された内フィルムと、前記外フィルムと前記内フィルムとの間に介挿された食材シートとを具備し、分離部によって前記外フィルムが分割された際、分割された一方の外フィルム部分と該一方の外フィルム部分に繋がっている一方の前記内フィルムとを含む一方の側に対して、分割された他方の外フィルム部分と該他方の外フィルム部分に繋がっている他方の前記内フィルムとを含む他方の側が分離可能である飯包装材であって、該飯包装材の一方の短辺と一方の長辺で挟まれる一方のコーナー部が対向する他方の長辺の中途部にくるようにして、前記一方のコーナー部側となる部位が内側巻き込み部として巻き込まれ、前記飯包装材の他方の短辺側の部位が、前記内側巻き込み部上に外側巻き付け部として巻き付けられると共に該内側巻き込み部上に固定されることによって、前記一方の長辺の中途部が頂部となる変形円錐状に形成して用いられる飯包装材において、
前記変形円錐状に形成される際、前記外側巻き付け部として巻き付けられる前記他方の短辺側の部位を位置決めする第１の目印が前記外フィルムに設けられていることを特徴とする飯包装材。
【請求項２】
前記第１の目印が、前記外側巻き付け部として巻き付けられる前記他方の短辺側の部位の辺を位置決めする標線からなることを特徴とする請求項１記載の飯包装材。
【請求項３】
前記外側巻き付け部として巻き付けられる前記他方の短辺側の部位であって、前記第１の目印と一致する位置に第２の目印が設けられていることを特徴とする請求項１記載の飯包装材。
【請求項４】
前記変形円錐状に形成され、かつ扁平にされた際の頂角が、４２°〜５０°の範囲となるように前記目印が設けられていることを特徴とする請求項１〜３いずれか１項記載の飯包装材。
【請求項５】
前記変形円錐状に形成される際、前記一方の短辺と一方の長辺で挟まれる一方のコーナー部が対向する他方の長辺の中途部にくるように、かつ前記一方の長辺が前記他方の長辺に対して垂直となるようにして、前記一方のコーナー部側となる部位が前記内側巻き込み部として巻き込まれ、前記他方の短辺側の部位が、該他方の短辺側の部位における前記他方の長辺が前記一方の短辺と重なるようにして、前記内側巻き込み部上に前記外側巻き付け部として巻き付けられることを特徴とする請求項１〜３いずれか１項記載の飯包装材。
【請求項６】
前記変形円錐状に形成される際の変形円錐部の底辺となる部位に、反対方向に折り曲げることによって変形円錐部の底部開口部を覆うことのできるカバー部材が設けられていることを特徴とする請求項１〜５いずれか１項記載の飯包装材。
【請求項７】
前記カバー部材を折り曲げて、前記変形円錐部の底部開口部を覆って前記外フィルムに固定する際の位置決めのための第３の目印および第４の目印がそれぞれ、前記カバー部材および前記外フィルムに設けられていることを特徴とする請求項６記載の飯包装材。
【請求項８】
請求項１〜７いずれか１項記載の飯包装材が、前記変形円錐状に形成され、該変形円錐状に形成された飯包装材中に、円錐状に形成された飯が収容されていることを特徴とする飯包装体。
【発明の詳細な説明】
【技術分野】
【０００１】
本発明は、円錐形状に形成したおにぎりもしくは寿司等の飯を包装する飯包装材およびその飯包装体に関する。
【背景技術】
【０００２】
内フィルムと外フィルムの間に海苔等の食材シートを介挿した飯包装材が知られている（例えば特許文献１）。
この飯包装材は、内フィルム上に円錐状に形成した寿司（飯）を配置し、この寿司を、飯包装材により両側から巻き込んで手巻き寿司に形成したものである。
食するときは、外フィルムに設けた分離部により外フィルムを２分割し、これにより飯包装材を２分割（内フィルムはあらかじめ２枚の分割されたフィルムが用いられている）して、フィルムのみを取り外し、食材シートが寿司上に巻かれた状態の手巻き寿司とすることができる。これにより乾燥したパリパリの状態の食材シートが巻かれた寿司となるので、美味しく食することができる。【０００３】
特許文献１に記載されている飯包装材は、具体的には次の構成を有している。
すなわち、
長方形状をなし、幅方向に２分割可能なように長手方向全長に亙って帯状の分離部が設けられた外フィルムと、２枚のフィルムが端縁部が重なるようにずらした状態で前記外フィルムに重ね合わされ、周縁部の適所で前記外フィルムに固定された内フィルムと、前記外フィルムと前記内フィルムとの間に介挿された食材シートとを具備し、前記分離部によって前記外フィルムが分割された際、分割された一方の外フィルム部分と該一方の外フィルム部分に繋がっている一方の前記内フィルムとを含む一方の側に対して、分割された他方の外フィルム部分と該他方の外フィルム部分に繋がっている他方の前記内フィルムとを含む他方の側が分離可能である飯包装材である。
【先行技術文献】
【特許文献】
【０００４】
【特許文献１】特開２０１４−９４０１７号公報
【発明の概要】
【発明が解決しようとする課題】
【０００５】
しかしながら、上記飯包装材にあっては、上記変形円錐状の形状に形成する際、上記のように、飯包装材の一方の短辺と一方の長辺で挟まれる一方のコーナー部が対向する他方の長辺上の中途部の一定位置にくるように、位置合わせする操作が必要となる。さらに、内側巻き込み部上に外側巻き付け部を巻き付ける際も、外側巻き付け部を内側巻き付け部上の一定位置にくるように位置合わせする操作が必要となる。目視によって、上記のような位置合わせをする操作は非常に厄介であり、ともすれば位置ずれしやすく、所望の一定の頂角を有する変形円錐状に形成し難いという課題がある。【０００６】
本発明は上記課題を解決すべくなされたものであり、その目的とするところは、一定の頂角を有する変形円錐状のものに容易に形成できる飯包装材および飯包装体を提供するにある。
【課題を解決するための手段】
【０００７】
本発明に係る飯包装材は、長方形状をなし、幅方向に２分割可能なように長手方向全長に亙って帯状の分離部が設けられた外フィルムと、２枚のフィルムが端縁部が重なるようにずらした状態で前記外フィルムに重ね合わされ、周縁部の適所で前記外フィルムに固定された内フィルムと、前記外フィルムと前記内フィルムとの間に介挿された食材シートとを具備し、分離部によって前記外フィルムが分割された際、分割された一方の外フィルム部分と該一方の外フィルム部分に繋がっている一方の前記内フィルムとを含む一方の側に対して、分割された他方の外フィルム部分と該他方の外フィルム部分に繋がっている他方の前記内フィルムとを含む他方の側が分離可能である飯包装材であって、該飯包装材の一方の短辺と一方の長辺で挟まれる一方のコーナー部が対向する他方の長辺の中途部にくるようにして、前記一方のコーナー部側となる部位が内側巻き込み部として巻き込まれ、前記飯包装材の他方の短辺側の部位が、前記内側巻き込み部上に外側巻き付け部として巻き付けられると共に該内側巻き込み部上に固定されることによって、前記一方の長辺の中途部が頂部となる変形円錐状に形成して用いられる飯包装材において、前記変形円錐状に形成される際、前記外側巻き付け部として巻き付けられる前記他方の短辺側の部位を位置決めする第１の目印が前記外フィルムに設けられていることを特徴とする。【０００８】
前記第１の目印を、前記外側巻き付け部として巻き付けられる前記他方の短辺側の部位の辺を位置決めする標線に形成することができる。
前記外側巻き付け部として巻き付けられる前記他方の短辺側の部位であって、前記第１の目印と一致する位置に第２の目印を設けるようにしてもよい。
また、前記変形円錐状に形成され、かつ扁平にされた際の頂角が、４２°〜５０°の範囲となるように前記目印を設けると好適である。【０００９】
また、前記変形円錐状に形成される際、前記一方の短辺と一方の長辺で挟まれる一方のコーナー部が対向する他方の長辺の中途部にくるように、かつ前記一方の長辺が前記他方の長辺に対して垂直となるようにして、前記一方のコーナー部側となる部位が前記内側巻き込み部として巻き込まれ、前記他方の短辺側の部位が、該他方の短辺側の部位における前記他方の長辺が前記一方の短辺と重なるようにして、前記内側巻き込み部上に前記外側巻き付け部として巻き付けられるようにすると好適である。【００１０】
前記変形円錐状に形成される際の変形円錐部の底辺となる部位に、変形円錐部の底部開口部を覆うことのできるカバー部材を設けることができる。
前記カバー部材を折り曲げて、前記変形円錐部の底部開口部を覆って前記外フィルムに固定する際の位置決めのための第３の目印および第４の目印をそれぞれ、前記カバー部材および前記外フィルムに設けることができる。【００１１】
本発明に係る飯包装体は、前記いずれかの飯包装材が、前記変形円錐状に形成され、該変形円錐状に形成された飯包装材中に、円錐状に形成された飯が収容されていることを特徴とする。
【発明の効果】
【００１２】
本発明によれば、一定の正確な頂角を有する変形円錐状のものに容易に形成できる飯包装材および飯包装体を提供できる。
【図面の簡単な説明】
【００１３】
【図１】飯包装材の一例を示す説明図である。
【図２】分離部を所要幅を有する１本のカットテープで形成した場合の説明図である。
【図３】分離部を２本のカットテープで形成した場合の説明図である。
【図４】分離部を２本のミシン目で形成した場合の説明図である。
【図５】外フィルムに配向性フィルムを用い、２本の切れ込みにより分離部に形成した例を示す説明図である。
【図６】飯包装体の説明図である。
【図７】飯包装体を握った際の分離部の分離スタート位置および分離終了位置を示す説明図である。
【図８】一方のコーナー部Ａを斜線部で示した説明図である。
【図９】図８に示す飯包装材において、内側巻き込み部側を折り返した状態を示す説明図である。
【図１０】図９Ａおよび図９Ｂに示す状態からさらに外側巻き付け部側を折り返した状態を示す説明図である。
【図１１】図１０Ａおよび図１０Ｂを裏側から見た説明図である。
【図１２】飯包装体にカバーを取り付けた説明図である。
【図１３】端縁部１４ａにカバーを設けた実施の形態の説明図である。
【図１４】端縁部１４ｃにカバーを設けた別の実施の形態の説明図である。
【図１５】端縁部１４ａにカバーを設けた実施の形態の説明図である。
【図１６】端縁部１４ａおよび１４ｃに亙ってカバーを設けた実施の形態の説明図である。
【図１７】端縁部１４ａ、１４ｂおよび１４ｃに亙ってカバーを設けた実施の形態の説明図である。
【図１８】カバーを固定する固定シールの位置を示す説明図である。
【発明を実施するための形態】
【００１４】
以下本発明の好適な実施の形態を添付図面に基づいて詳細に説明する。
図１はおにぎりもしくは寿司等の飯を包装する飯包装材（以下単に包装材という）１０の説明図であり、図６および図７は飯包装体（以下単に包装体という）２６の説明図である。なお、図１は、包装材１０を内フィルム側から見た図面である。
包装材１０は、長方形の形状をなし、幅方向に２分割可能なように長手方向の全長に亙って公知の帯状の分離部１２が設けられた外フィルム１４と、２枚のフィルムが端縁部同士が重なるようにした状態で外フィルム１４に重ね合わされ、周縁部の適所で外フィルム１４に熱溶着によって固定された内フィルム１６ａ、１６ｂと、外フィルム１４と内フィルム１６ａ、１６ｂとの間に介挿された海苔やこんぶシート等の食材シート１８を有する。なお、長方形の形状とは、角部を切り欠いただけのような、実質的に長方形をなしているものも含む。
【００１５】
分離部１２は、図２に示すように、所要幅を有する１本のカットテープの他、図３に示すように２本のカットテープ、図４に示すように２本のミシン目にするなどして形成できる。なお、いずれも、分離部１２の端部両側の外フィルム１４の部位には切れ込み１１を設けて、切断開始を容易になるようにしている。図３のものでは、２本のカットテープおよびその間の外フィルムの部位が切断されることになり、また図４のものでは、２本のミシン目の間の外フィルムの部位が切断されることになる。あるいは分離部１２は、図５に示すように、外フィルム１４自体を長手方向に容易に裂ける配向性フィルムにし、一端側に２本の切れ込み１１を設けて、この切れ込み１１に沿って切断（分離）可能にしてもよい。あるいは図示しないが、外フィルム１４を幅方向に２分割して、部分的に溶着するなどして分離部としてもよい。
【００１６】
外フィルム１４と内フィルム１６とは熱溶着等によって固定されている。
この溶着部位（図１における斜線の部位）は特に限定されないが、分離部１２によって外フィルム１４を２つに分割した際に、分割された一方の外フィルム部分とこの一方の外フィルム部分に繋がっている一方の内フィルム片１６ｂとを含む一方の側に対して、分割された他方の外フィルム部分とこの他方の外フィルム部分と繋がっている他方の内フィルム片１６ａを含む他方の側が分離可能となる位置に設けられている。すなわち、分割された一方の外フィルム片１４と一方の内フィルム１６ｂとの溶着部位と、分割された他方の外フィルム片１４と他方の内フィルム１６ａとの溶着部位とが、分離部１２を挟んで互いに反対側になるようにされている。
【００１７】
そして本実施の形態では、分離部１２が一部において前記他方の側に繋がっていて、分離部１２を引っ張ることによって前記一方の側に対して他方の側が一時に分離可能になっている。
具体的には本実施の形態では、分離部１２の幅方向の一方の側縁部１２ａの端部側（切断方向における終端側の端部側）が外フィルム１４を２分割不能な分割不能部１３に設けられている。なお、分離部１２の幅方向の一方の側縁部１２ａとは、図３のような２本のカットテープの場合や、図４に示す２本のミシン目の場合には、一方のカットテープや一方のミシン目を言い、また、図５に示すような配向性フィルムの場合には、２本の切れ込み１１に沿って切断される予定線の一方の予定線を言う。
【００１８】
分離部１２の幅方向の他方の側縁部１２ｂは外フィルム１４を全長に亙って２分割可能となっている。
分割不能部１３を形成するには、一例として分離部１２の幅方向の一方の側縁部１２ａの端部と該端部に隣接する外フィルム１４との間に亙って固定テープ１５を貼着することによって形成できる。あるいは、分離不能部１３は、図２〜図５に示すように、外フィルム１４と内フィルム１６を固定する熱溶着の部位を、分離部１２の幅方向の一方の側縁部１２ａの端部にまで至るように設けることによって形成するようにしてもよい。
【００１９】
上記包装材１０を用いて寿司もしくはおにぎり等の飯（以下、寿司として説明する）２０を包装して手巻き寿司風の包装体２６（図６）を形成するには次のようにする。
まず、円錐状に形成した寿司２０を、包装材１０の内フィルム１６上に、包装材１０の一方の長辺１０ｄの中途部に頂部が向くように（底部はコーナー部Ｂに向くように）、包装材１０に対して約４５度の角度をなすように斜めに配置する（図１）。
【００２０】
次に、一方の長辺１０ｄと一方の短辺１０ａとで挟まれる一方のコーナー部Ａ側を頂点とする包装材１０の三角形状の部位（図８における斜線部）を寿司２０の外形に沿って巻き付けて内側巻き込み部２２に形成する（図６）。
次いで、包装材１０の他方の短辺１０ｂ側の所定幅の部位Ｃ（図９Ａにおける斜線部）を内側巻き込み部２２上に巻き付けて外側巻き付け部２４に形成する（図６、図９Ａ）。
そして、外側巻き付け部２４を内側巻き込み部２２上に適宜シールテープ１７（図７）や熱溶着等によって固定して包装体２６に形成するのである。なお、図６では寿司２０を省略している。
上記のようにして、変形円錐状に形成された飯包装材１０中に、円錐状の飯が収容された手巻き寿司風の飯包装体２６を形成できる。
【００２１】
包装材１０を変形円錐状に形成した際、図６に示すように、内側巻き込み部２２となる部位の外フィルム１４の分離部１２が、外側巻き付け部２４によって覆われておらず、したがって、該分離部１２が外フィルム１４の全長に亙って露出するようにすると好適である。
このように、外フィルム１４の分離部１２が自身の外側巻き付け部２４によって覆われず、外フィルム１４の全長に亙って露出するようにすれば、分離部１２によって外フィルム１４を分断する際、分離部１２が外側巻き付け部２４によって邪魔されず、外フィルムを容易に分割でき、あらかじめ分離されている内フィルム１６とともに、食材シート１８を寿司２０上に残したまま寿司２０から除去することができる。
【００２２】
図７は、包装体２６を手に持った際の分離部１２の分割スタート位置Ｐと、分離部１２の分割終了位置Ｑを示すものであるが、分離部１２が外フィルム１４の全長に亙って露出しているので、包装体２６が握りやすく、また、分離部１２による外フィルム１４の分離操作がきわめて容易となることが理解されよう。なお、外側巻き付け部２４を内側巻き込み部２２上にシールテープ１７を用いて固定する際、該シールテープが分離部１２上に架かる（覆う）場合には、図７に示すようにシールテープを貼り付ける部位の外側巻き付け部２４の端縁部を少し切り欠いておき（切欠部１７ａ）、該端縁部を後退させておくことによって、シールテープ１７が分離部１２に架からないようにするとよい。
【００２３】
そして本実施の形態では、前記のように、分離部１２の幅方向の一方の側縁部１２ａの端部側（切断方向における終端側の端部側）が外フィルム１４を２分割不能な分割不能部１３に設けられている。
したがって、分離部１２を分割スタート位置Ｐから分割終了位置Ｑに向かって引いて外フィルム１４を分割していくと、一方の側縁部１２ａにおける分割不能部１３においては外フィルム１４は分割されず、他方の側縁部１２ｂにおいて外フィルム１４は全長に亙って２分割される。
【００２４】
このように外フィルム１４は、分離部１２の幅方向の他方の側縁部１２ｂにより全長に亙って２分割されるが、分離部１２は分割不能部１３において、分割された外フィルム１４の一方（上側の外フィルム部分）と連結している。したがって、分離部１２をそのまま引張ることによって、分離部１２に繋がっている分割された一方の外フィルム部分と該一方の外フィルム部分にあらかじめ繋がっている一方の内フィルム(上側のフィルム)１６ａとからなる他方の側（変形円錐部の底部側）が、分割された他方の外フィルム部分と該他方の外フィルム部分にあらかじめ繋がっている他方の内フィルム１６ｂとの一方の側（変形円錐部の頂部側）に対して、容易に上方に引き離し可能（分離可能）（食材シート１８を寿司２０上に残したまま除去可能）となる。
【００２５】
この包装材１０を、本実施の形態に従い、上記変形円錐状に形成する手順を、図８〜図１１によりさらに詳細に説明する。
図９Ａに示すように、包装材１０の一方の短辺１０ａ側の一方のコーナー部Ａ側の三角形状の部位（図８における斜線部：一部が内側巻き込み部となる）を折り返す（実際には寿司に沿って弧状に折り返される）。すなわち、一方のコーナー部Ａ側の長辺（一方の長辺）１０ｄが他方のコーナー部Ｂ側の長辺（他方の長辺）１０ｃに対して垂直となるように、コーナー部Ａ側を折り返す。このとき、寿司が内部に包まれた状態となるので、実際には重ならないのであるが、図９Ａの方向から見た場合に、短辺１０ａが長辺１０ｃに重なるように見え、包装体とした際に体裁がよくなる。なお、一方の長辺１０ｄが他方の長辺１０ｃに対して直角となるように、図８に示すように、外フィルム１４の他方の長辺１０ｃ上に、コーナー部Ａの頂点が位置すべき位置にスポット状の目印（第５の目印）３１を設けておくと好適である。図９Ｂは、図９ＡにおいてＸ方向から見た図である。なお、目印３１は必ずしも設けなくともよい。
【００２６】
次に図１０Ａに示すように、包装材１０の他方の短辺１０ｂ側の所要幅の部位（図９Ａにおける斜線部Ｃ）を、上記折り返された部位の長辺１０ｄを折り返し基線として、コーナー部Ａ側の上に重なるように折り返し（実際には寿司に沿って弧状に折り返される）、外側巻き付け部２４とする。外側巻き付け部２４に覆われた部位が内側巻き込み部２２にほかならない。この場合、包装材１０の長辺１０ｃが一方の短辺１０ａと重なり（図１０Ａ）、体裁がよいものとなる。図１０Ｂは、図１０ＡにおいてＸ方向から見た図である。図１１は、図１０Ａおよび図１０Ｂを裏から見た図である。
【００２７】
そして本実施の形態では、包装材１０の他方の短辺１０ｂ側の所要幅の部位（図９Ａにおける斜線部Ｃ）を、上記折り返された部位の長辺１０ｄを折り返し基線として、コーナー部Ａ側の上に正確に重なるように折り返すことができるように、外フィルム１４の所定の部位に、外側巻き付け部として巻き付けられる他方の短辺１０ｂ側の部位を位置決めするスポット状の第１の目印３２ａを設けている。
また、外側巻き付け部として巻き付けられる他方の短辺１０ｂ側の部位であって、第１の目印３２ａと一致する位置にスポット状の第２の目印３３ａを設けている。
両目印３２ａ、３３ａが一致するように（重なるように）位置合わせして斜線部Ｃを折り返すようにする。
なお、第１の目印３２ａを直線状の標線に設け、この直線状の目印３２ａに一方の長辺１０ｄが沿うように、斜線部Ｃを折り返すようにしてもよい（この場合、第２の目印３３ａは設けなくともよい）。
【００２８】
あるいはまた、第１の目印３２ｂとして、外側巻き付け部２４として巻き付けられる他方の短辺１０ｂ側の部位（斜線部Ｃ）における他方の短辺１０ｂが対向する外フィルム１４の部位に、他方の短辺１０ｂを位置決めするための標線３２ｂを設けるようにしてもよい。この直線状の第１の目印３２ｂに他方の短辺１０ｂが沿うように、斜線部Ｃを折り返すようにすることによって、斜線部Ｃを正確な位置に折り返すことができる。
なお、第１の目印として、目印３２ａ、３２ｂの両方を設けるようにしてもよい。
【００２９】
各目印３１、３２ａ、３２ｂ、３３ａは適宜印刷によって外フィルム１４上に形成することができる。
なお、第１の目印３２ａおよび／または第１の目印３２ｂに従って対応部位が位置合わせできれば、第５の目印３１に対しては、コーナー部Ａの頂部が必然的に位置合わせされることにもなるので、第５の目印３１は必ずしも設けなくともよい。逆に言えば、第１の目印３２ａおよび／または第１の目印３２ｂはあらかじめそのような位置に設けられている。
上記のようにして、内巻き込み部上に外巻き付け部を巻き付け、適所に、シールテープ１７を貼ったり、当該部位を熱溶着して固定することによって、包装材１０を変形円錐状に形成できる。
なお、図９Ａおよび図９Ｂ〜図１１では、わかりやすくするために、包装材１０を扁平な状態で折り込んだ状態で説明している。したがって、頂角は４５°となっているが、実際は変形円錐状となるため、頂角は３０°程度となる。
【００３０】
なお、扁平な状態とした場合の頂角は、上記のように見栄えをよくするためには、４５°程度が好ましいが、扁平にした際の頂角は４２°〜５０°の範囲であってもよい。
この扁平にした際の頂角が４２°〜５０°の範囲であれば、包んだ寿司等の飯上から、食材シート１８を飯上に残したまま、分割した飯包装材の一方の側および他方の側の引き抜きを支障なく行うことができる。
扁平にした際の頂角が５０°よりも大きな変形円錐状のものになってしまった場合には、分離部１２による開封の際、分離部１２を横方向に引く動作と縦方向に引く動作が大きくなり、開封作業がしにくくなってしまう。一方、扁平にした際の頂角が４２°よりも小さくなってしまうと、内側巻き込み部と外側巻き付け部との重なり部分が大きくなり、一方の側と他方の側との分離操作が行いにくくなってしまう。
【００３１】
頂角が４５°以外の場合は、一方の長辺１０ｄは他方の長辺１０ｃに対して垂直とはならない。また、他方の長辺１０ｃが、一方の短辺１０ａに重ならない。
しかしながら、本実施の形態では、目印３２ａ、３２ｂ、３３ａ等を所定の位置に設けることによって、扁平にした際の頂角が４２°〜５０°の範囲内での一定の頂角となる変形円錐状の飯包装材を正確に、かつ容易に作製することができるのである。
【００３２】
次に、上記各実施の形態において、図１〜図５に示すように、内フィルム１６の２枚のフィルムを、幅広フィルム片１６ａとこの幅広フィルム片１６ａよりも幅狭の幅狭フィルム片１６ｂとから構成すると好適である。そしてこの場合に、幅狭フィルム片１６ｂを、包装材１０の長辺１０ｄ側に位置するようにすると、後記するように、分割したフィルムをおにぎりあるいは寿司から引き抜きやすくなるので好適である。なお、両内フィルム片１６ａ、１６ｂの重なり合う部位は、どちらが内側、あるいは外側であってもよい。また、この重なり合う部分のフィルム片の一方もしくは両方をさらに２つ折りにしてもよい（図示せず）。
【００３３】
さらに、コーナー部Ａ側における食材シート１８のコーナー部を図１に示すように切り欠いておくようにするとよい。これにより、後記するように、分割したフィルムをおにぎりあるいは寿司から引き抜く際に、フィルム片が食材シート１８のコーナー部が引っ掛からず、引き抜きやすくなり好適である。
【００３４】
上記のように、内フィルム１６を、幅広フィルム片１６ａと幅狭フィルム片１６ｂとにすることによって、分離部１２により外フィルム１４を２つに分断すると、外フィルム１４の上側部分（コーナー部Ｂが存在する部分：図６）と、この上側部分に固定されている内フィルム１６の幅広フィルム片１６ａとを、食材シート１８を寿司２０上に残したまま上方に容易に引き抜くことができる。内側フィルム１６の幅広フィルム片１６ａは、幅広に形成されている分だけ寿司２０との間の抵抗が大きくなり、引き抜きにくくなるが、寿司２０上方の開放空間側へ引き抜くので、食材シート１８が介在していても食材シート１８に邪魔されることがなく、分離部１２を上方に引くことによって容易に引き抜ける。
【００３５】
むしろ、分断された外フィルム１４の下側部分と、この下側部分に固定されている内フィルム１６の幅狭フィルム片１６ｂとは、下方にすぼまっている食材シート１８が存在することから、下方に引き抜きにくいが、内側フィルム１６が幅狭のフィルム片１６ｂに形成されていることから、食材シート１８や寿司２０から剥がれやすく、引き抜きやすいものとなる。
【００３６】
特に、幅狭フィルム片１６ｂの、図１におけるコーナー部Ａの、短辺１０ａ側の部分を外側フィルム１４に溶着しないようにするか、および／または当該部位の食材シート１８を切り欠いておくことによって、より容易に上記分断したフィルムを下方に引き抜くことが可能となる。
【００３７】
なお、上記実施の形態では、説明をわかりやすくするために、円錐状に成形した寿司２０に包装材１０を巻き付けるようにして包装体２６を形成する例で説明した。しかし、実際には、包装体２６を形成する場合は、包装材１０をあらかじめ図６に示すような変形円錐状に形成しておき、この変形円錐状に形成した包装材１０中に、円錐状に成形した寿司２０を落とし込むようにして、包装体２６に形成するようにすると好適である。このようにすることで、あらかじめ変形円錐状に形成した包装材１０を順次装置（図示せず）内に連続的に送り込み、あらかじめ円錐状に成形した寿司２０を順次包装材１０中に落とし込むようにすることができ、包装の自動化が行える。
包装材１０をあらかじめ変形円錐状に形成するには、人手により形成するか、自動機により形成することになるが、この場合も、上記した各目印３１、３２ａ、３２ｂを設けて、この目印により各部を位置合わせすることによって、上記した変形円錐形状のものに正確に形成することができる。
【００３８】
図１２は、包装体２６に透明なカバー部材２８を被せて、寿司２０の露出部位（円錐の底部開口側）を覆い隠すようにした実施の形態を示す。
図１３、図１５は、カバー部材２８を、包装材１０の、外フィルム１４の一方の端縁部１４ａに一体に設けた例、図１４は、カバー部材２８を、一方の端縁部１４ａに隣接する端縁部１４ｃに設けた例、図１６は、カバー部材２８を、両端縁１４ａ、１４ｃに亙って設けた例を示す。図１７は、カバー部材２８を、両端縁１４ａ、１４ｂおよび１４ｃに亙って設けた例を示す。
すなわち、カバー部材２８を、変形円錐状に形成される際の変形円錐部の底辺となる部位に設け、反対方向に折り曲げることによって変形円錐部の底部開口部を覆うことができるようにする。
【００３９】
図１８は、カバー部材２８を外フィルム１４に固定シール３０で固定する場合の固定シール３０の位置の例を示す。
この場合に、図１８に示すように、カバー部材２８を折り曲げて、変形円錐部の底部開口部を覆って外フィルム１４に固定する際の位置決めのための第３の目印３４および第４の目印３５をそれぞれ、カバー部材２８および外フィルム１４に設けるようにすると好適である。
【図１】
2018037649.tif 000003
【図２】
2018037649.tif 000004
【図３】
2018037649.tif 000005
【図４】
2018037649.tif 000006
【図５】
2018037649.tif 000007
【図６】
2018037649.tif 000008
【図７】
2018037649.tif 000009
【図８】
2018037649.tif 000010
【図９】
2018037649.tif 000011
【図１０】
2018037649.tif 000012
【図１１】
2018037649.tif 000013
【図１２】
2018037649.tif 000014
【図１３】
2018037649.tif 000015
【図１４】
2018037649.tif 000016
【図１５】
2018037649.tif 000017
【図１６】
2018037649.tif 000018
【図１７】
2018037649.tif 000019
【図１８】
2018037649.tif 000020
【国際調査報告】
2018037649.tif 000021
2018037649.tif 000022